(57)【要約】      （修正有）【課題】ケース本体に対して基板を簡単な作業で固着でき、しかも固着作業の際には、光ファイバを傷めるおそれのない光受信機を提供する。さらに、基板をケース本体から取り外す場合にも、光ファイバを傷めるおそれのない光受信機を提供すること。【解決手段】掛合手段において、掛止部材９５は間隙を挟んで二つの掛止部９４をケース本体３壁から突設させ、掛合部材８５は、全体の断面形状をＵ字状にし、元部は基板に連結し、自由端部には摘み部８６を備え、元部と摘み部８６の間には湾曲部８７を備え、湾曲部８７の弾力は、常態では元部と対接部の間が装着状態での元部と壁との間より広く、装着過程では広幅部が掛止部に押されて元部側に撓み、広幅部が掛止部を通過後は対接部が間隙に進入して壁に当たるような弾力で、掛合状態では、広幅部と掛止部とが掛止されるようにした。【選択図】図２
2007086732.tif 000002
【特許請求の範囲】
【請求項１】
収納空間を有するケース本体と、
上記収納空間に収納され、外部から入力される光信号を電気信号に変換して出力する光受信部と、
上記収納された光受信部とその表側に設けられる光ファイバ収容部とを区画する為の基板とを備え、
上記光ファイバ収容部は上記基板の表面に備えられ、余長の光ファイバを所定の曲率で巻付ける為に表側を開放状態にした巻枠を備えており、
さらに、収納空間の開口部に基板を開閉自在に被せ付けた状態で、ケース本体と基板とを掛脱自在に固着する為に上記基板とケース本体との間には掛合手段を備えている光受信機において、
上記掛合手段は、上記ケース本体に設けた掛止部材と、上記基板に設けた掛合部材とを備え、
上記掛止部材は、間隙を挟んでその両側に二つの掛止部を並べた状態にケース本体の壁から突設させてあり、
一方、上記掛合部材は、全体の断面形状をＵ字状に構成し、
元部は基板に連結し、
自由端部には指で操作する為の摘み部を備え、
さらに、元部と摘み部との間には、上記摘み部が上記元部側へ撓むような弾力をもたせる為の湾曲部を備え、
さらに、上記摘み部と湾曲部との間は、ケース本体に対して基板を装着した状態において上記掛止部より下に位置する部分は上記間隙の幅より広幅に形成し、
上記装着状態において上記掛止部に対接する部分は上記間隙の幅より狭い幅に形成してあり、
上記湾曲部における弾力は、常態では、元部と対接部との間の寸法が、装着状態における元部と壁との間の寸法より広くなり、
装着過程では、上記広幅部が掛止部に押されて元部側に撓み、
上記広幅部が掛止部を通過後は、対接部が上記間隙に進入して壁に当たるような弾力にしてあり、掛合手段の掛合状態では、広幅部と掛止部とが掛止されることを特徴とする光受信機。
【発明の詳細な説明】
【技術分野】
【０００１】
本発明は、家屋など建造物に装着されるケース本体の収納空間に、光信号をＴＶ受像機などで受信できるような電気信号に変換するＯ／Ｅ変換手段を備える光受信部を納め、ケース本体の開口部には、光ファイバ収容部を表面に備える基板を開閉自在に被せ付けた状態で固着した光受信機に関する。
【背景技術】
【０００２】
従来の光受信機について図１、図２を用いて説明する。図１、図２は本願発明の実施例を示すものであるが、これらの図において符号１〜２９及び符号３９〜６０を付した構成は、従来から知られた構成である（例えば特開２００５−２４７６０公報参照）。よって図１、図２を用いて従来例を説明する。
３は光受信機１におけるケース本体を示し、５はケース本体３における収納空間を示す。１３は、外部から入力される光信号を電気信号に変換（Ｏ／Ｅ変換）して出力する光受信部を示し、図示のように収納空間５に収納されている。２５は、収納された光受信部１３とその表側に設けられる光ファイバ収容部２４とを区画する為の基板を示す。光ファイバ収容部２４は、余長の光ファイバ４４、４５、４６、４７を収容する為のもので、基板２５の表面に備えられている。さらに光ファイバ収容部２４には、余長の光ファイバ４４、４５、４６、４７を所定の曲率で巻付ける為に、表側が開放状態の巻枠２６、２７、周壁５８等が備えられている。
ケース本体３の開口部３ｅには、基板２５を被せ付けた状態で固着している。その固着は、基板２５を取り外せるように、掛合手段としてのねじ部材を用いて着脱自在に固着するようにしている（例えば、特許文献１参照）。
【０００３】
【特許文献１】特開２００５−２４７６０公報
【特許文献２】実開昭５７−１０８３９０号公報
【発明の開示】
【発明が解決しようとする課題】
【０００４】
従来の光受信機では、光ファイバを取り扱う作業の際、光ファイバ収容部を備える基板２５をケース本体に対して固着する場合、ねじ部材を用いてねじ止めしなくてはならない煩わしさがあった。
さらに、ねじ止めする際、光ファイバ収容部２４に巻き付けた光ファイバをねじ止め用工具で傷付けることのないように用心深くねじ止めしなくてはならない作業上の問題点もあった。
さらに、光受信部１３を点検又は修理の際等、基板２５とケース本体３とを取り外す場合にも、同様の問題点があった。
【０００５】
そこで、出願人会社にあっては、基板２５とケース本体３との固着手段として、ねじ部材に代えて、図１０に示されるような穿孔３２とＬ状鍵形部２４とを備える公知の掛合手段（例えば実開昭５７−１０８３９０号公報参照）を用いることを考えた。例えば、ケース本体３側に穿孔３２を備えさせ、基板２５側に片２３及びＬ状鍵形部２４を備えさせる。そして図１０に示されるのと同様に、穿孔３２にＬ状鍵形部２４を圧入させて両者を係合することにより、基板２５とケース本体３とを固着しようとした。
しかし、ケース本体３に対して基板２５を固着する作業において、穿孔３２にＬ状鍵形部２４を圧入させる為に強い力で押し込むので、穿孔とＬ状鍵形部との係合が完了する瞬間、基板２５がケース本体３にパチンとぶつかる。
これにより、基板２５の表面に備えられている光ファイバ収容部２４の光ファイバに衝撃が加わってしまう。巻枠に巻かれた光ファイバの一部が浮き上ったり、揺れてうねりを生じて、光ファイバを傷めるおそれがある。さらに、巻枠から光ファイバが外れてループ状の光ファイバ相互が絡まりもつれて光ファイバを傷めるおそれが生じる問題点もある。
さらに、係合させた後、基板２５をケース本体３から取り外しが困難である問題点もある。
なお、上記特許文献２に関わる説明において使用した符号（本願願書に添付した図面の図１０に用いられている符号）は、特許文献２において用いられた特有の符号を使用したもので、本願発明に係る［発明を実施するための最良の形態］の欄に用いる符号とは関係がない。
【０００６】
本件出願の目的は、外部から引込んだ光信号をケース本体の収納空間に収められた光受信部で電気信号に変換して出力できるはもちろんのこと、余長の光ファイバを収容する為の光ファイバ収容部を備える基板をケース本体に対して掛脱自在に固着することができる光受信機を提供しようとするものである。
他の目的は、ケース本体に対して基板を固着する場合、掛合手段における掛合部材を指で撓ませながら掛止部材に対する掛合位置まで移動させ、指を離すだけという簡単な作業で固着することができる光受信機を提供しようとするものである。
しかも、その固着作業の際、基板に備えられた余長の光ファイバには掛合による衝撃が加わらず、光ファイバを傷めるおそれのない光受信機を提供しようとするものである。
他の目的は、基板をケース本体から取り外す場合にも、基板の光ファイバ収容部に巻かれた余長の光ファイバには衝撃が加わらず、光ファイバを傷めるおそれのない光受信機を提供しようとするものである。
他の目的及び利点は図面及びそれに関連した以下の説明により容易に明らかになるであろう。
【課題を解決するための手段】
【０００７】
本願発明における光受信機は、収納空間５を有するケース本体３と、上記収納空間５に収納され、外部から入力される光信号を電気信号に変換して出力する光受信部１３と、上記収納された光受信部１３とその表側に設けられる光ファイバ収容部２４とを区画する為の基板２５とを備え、上記光ファイバ収容部２４は上記基板２５の表面に備えられ、余長の光ファイバを所定の曲率で巻付ける為に表側を開放状態にした巻枠２６、２７を備えており、さらに、収納空間５の開口部に基板２５を開閉自在に被せ付けた状態で、ケース本体３と基板２５とを掛脱自在に固着する為に上記基板２５とケース本体３との間には掛合手段８４を備えている光受信機において、  上記掛合手段８４は、上記ケース本体３に設けた掛止部材９３と、上記基板２５に設けた掛合部材８５とを備え、  上記掛止部材９３は、間隙９５を挟んでその両側に二つの掛止部９４、９４を並べた状態にケース本体の壁から突設させてあり、一方、上記掛合部材８５は、全体の断面形状をＵ字状に構成し、元部85ａは基板２５に連結し、自由端部85ｂには指で操作する為の摘み部８６を備え、さらに、元部85ａと摘み部８６との間には、上記摘み部８６が上記元部85ａ側へ撓むような弾力をもたせる為の湾曲部８７を備え、さらに、上記摘み部８６と湾曲部８７との間は、ケース本体３に対して基板２５を装着した状態において上記掛止部９４、９４より下に位置する部分９０は上記間隙９５の幅より広幅に形成し、上記装着状態において上記掛止部９４、９４に対接する部分８９は上記間隙９５の幅より狭い幅に形成してあり、上記湾曲部８７における弾力は、常態では、元部85ａと対接部８９との間の寸法が、装着状態における元部85ａと壁９６との間の寸法Ｓ１より広くなり、装着過程では、上記広幅部９０が掛止部９４に押されて元部85ａ側に撓み、上記広幅部９０が掛止部９４を通過後は、対接部８９が上記間隙９５に進入して壁９６に当たるような弾力にしてあり、掛合手段８４の掛合状態では、広幅部９０と掛止部９４、９４とが掛止されたものである。
【発明の効果】
【０００８】
さらに本願発明は、ケース本体に対して基板を固着する場合、掛合手段における掛合部材を指で撓ませながら掛止部材に対する掛合位置まで移動させ、指を離して広幅部分を掛止部に掛合させるようにしたので、簡単な手間で固着することができる作業上の効果がある。
しかも、その固着作業の際、基板に設けられた掛合部材の摘み部を指で撓ませながら、基板を手で保持しつつ掛合させられるので、そっとケース本体と基板とを固着させることができ、基板の光ファイバ収容部に巻かれた余長の光ファイバに対して掛合による衝撃が加えることなく、光ファイバの損傷事故を防止する安全上の効果がある。
【０００９】
さらに本願発明は、ケース本体に収納された光受信部を修理又は点検する際、基板をケース本体から取り外す場合、基板に設けられた掛合部材の摘み部を指で撓ませながら基板を手で保持し、そのまま基板を保持した状態で掛合を離脱させるので、光ファイバ収容部を備える基板をそっとケース本体から取り外すことができる。よって、光ファイバを傷める損傷事故を防止する安全上の効果がある。
【００１０】
さらに本願発明は、掛合部材における広幅部分は、弾力的に撓む方向とは交差する方向に張出して掛止部と掛合する為、掛合部材の板厚を指先で弾力的に撓む程度にまで薄くできるので、
ケース本体と基板の固着作業又は取り外し作業をする場合、比較的軽い力で摘み部を撓ませて固着又は取り外しをすることができる作業上の効果がある。
【００１１】
さらに本願発明は、上記のように掛合部材の板厚を薄くしても、掛合手段の掛合状態にあっては、広幅部分と掛止部との掛合方向が、掛合部材の板厚方向とは交差する方向に掛合するので、広幅部分と掛止部との掛合部分を大きくとることができ強固に掛合させることができる。このことは、ケース本体と基板との固着をしっかり維持することができる使用上の効果がある。
【発明を実施するための最良の形態】
【００１２】
以下本願発明の実施の形態を図面を用いて説明する。図１乃至図９において、図１及び図２は、ケース７におけるケース本体３と、ケースの中に収納される光受信部13及び光ファイバ収容部24の位置関係を示す正面図及び分解斜視図である。これらの図において挿通路60の構成は、出願人会社における本件出願前の試作品に係わる挿通路を表示するものである。以下順次図面を用いて実施例を説明する。
【００１３】
図１及び図２に示されるように、３は、周知のようにオフィスビルやマンションなどの出入り口近くに設置する光受信機１におけるケース本体を示し、通常は図に示されない任意の蓋体を開閉自在に備える。４ａは蓋体の止具を示す。
ケース本体３は、天板３ｃと、天板３ｃに平行する状態で配置される結線盤３ａと、天板３ｃと結線盤３ａとの間に夫々配置される二つの側板３ｂとを角形に配置すると共に、上記天板３ｃ、結線盤３ａ及び二つの側板３ｂで囲まれる角形の空間５の一面を塞ぐように備えさせた裏側板３ｄとで構成されている。ケース本体３の結線盤３ａは、例えば底部３ｄ、側部３ｂを含む本体部分とプラスチック材で一体に又は各別材を組み合わせて形成してある。ケース本体３の表側面には、ケース外部からケース内の光受信部１３や光ファイバ４４等を操作する為の比較的大きな開口部３ｅを備えさせ、さらにケース本体３の開口部３ｅに対しては開閉自在にケース本体に枢着された図には示されていない前記蓋体を被せ付けてケース７を構成している。
５は、ケース本体３における収納空間を示し、Ｏ／Ｅ変換手段を備える光受信部１３を収納するようにしてある。
結線盤３ａに備える８、９は公知のテレビ信号を取り出す為の出力端子突出口を示す。
【００１４】
図１，２に示される光受信部１３は、通常知られているように外部はシールド効果を有する金属製のケース（シャーシ）１４で構成されており、内部には、光信号をテレビ受像機用の入力信号に変換する為の手段、通常、Ｏ／Ｅ変換手段として知られている電子回路が収められている。また必要に応じては周知のように増幅回路が収まっている。光受信部１３のケース１４は任意の着脱自在に構成されたケース本体３側の取付具、例えば鈎片１０で着脱自在に保持される。ケース（シャーシ）１４の表面には、基板２５の表面よりも高くなるように高さを設定した光アダプタ２０が着脱自在に固着されている。この光アダプタ２０には、ケース１４内のＯ／Ｅ変換手段に連なる光ファイバ１７の先端に付されている光コネクタ２１ａが抜差自在に接続されている。光コネクタ２１ａはケース１４に設けた孔を通してケース１４の内に収納できるようにしても良いし、ケース１４の蓋が開閉できるように光ファイバ１７のリード線を長くしてあっても良い。１６、１６ａは周知のテレビ信号用出力端子及びテレビ信号用出力レベル測定端子の存在を示す。
【００１５】
２５は、ケース本体３に収納された光受信部１３とその表側に設けられる光ファイバ収容部２４とを区画する為の基板を示し、プラスチックまたは金属などの硬質平板材で形成してある。２５ａは基板２５から延長させたカバーを示し、リード線１７を保護する為のものである。２５ｂは基板２５の上に設けたコネクタ仮止め具の存在を示すものである。
【００１６】
次に、２４は基板２５の表面に備えられる余長の光ファイバ収容部を示す。光ファイバ収容部２４においては、図示のように光ファイバ４４、４５、４６、４７の添え付けを可能とする安全曲率の範囲内で小さい曲率に形成されている周壁２６ａ、２７ａを有する第１巻枠２６と、第２巻枠２７とを並置させてある。安全曲率としては光ファイバのメーカーによって種々な説があるが、一般的には半径が２０ミリメートル〜３０ミリメートルあれば安全な曲率といわれている。
第１巻枠２６と、第２巻枠２７とは、基板２５が合成樹脂で成型される場合には一体材で成型される。これらの巻枠の周壁26ａ、27ａには、光ファイバの滑りを止める為に、必要に応じて上下方向に長いスリットが周方向に多数配設してあってもよい。更に巻枠の平面形状は真円であっても良いし、安全曲率以上の曲率を備える楕円形であっても良い。
また、巻枠の周壁26ａ、27ａは、基板２５とは別体で形成し、基板２５の所定位置に任意の接合手段、例えば基板２５に多数の孔を穿ち、巻枠の側から延びる多数の爪を嵌合させる手段を用いて、或いは接着剤などを用いて密着状態に装着してもよい。
２８は周壁26ａ、27ａに添わせる光ファイバ４４、４５、４６、４７が跳ね上がるのを阻止するために予め周壁26ａ、27ａの上部位置に均等に割り付けて配置された複数の跳止爪を示す。この跳止爪２８は周壁26ａ、27ａの上部位置から放射方向に向けて一体材で張り出し状に備えさせてある。上記張り出し状の跳止爪における下方の基板２５には、必要に応じて、周知のように成形時に必要な型（中子）を抜き出す為に透孔を設けておくとよい。
【００１７】
上記基板２５の表面に対し、前述のごとく並置されている第１巻枠２６と、第２巻枠２７について説明する。これらの並置の状態は、第１巻枠２６と第２巻枠２７の夫々の中心点位置26ｆ、27ｆを中心にして、上記安全曲率が得られる半径で描かれる円弧（周壁26ａ、27ａの外周面とほぼ一致する）の一部が半径方向において相互に重合267するように、第１巻枠２６と、第２巻枠２７の中心点位置26ｆ、27ｆを相互に近づけてある。このように配置すると当然のことながら図１から明らかなように第１巻枠２６と第２巻枠２７の左右全体の幅寸法は狭くなり、専有面積は小さくなる。
【００１８】
基板２５の表面に対しては、上記第１巻枠２６と第２巻枠２７の夫々の小さい曲率を有する周壁26ａ、27ａの外周から遠く離れた位置に、第１巻枠２６と第２巻枠２７を取り囲むように、相互に適当な間隔を隔てて複数個所において光ファイバの外周位置規制用の跳止壁29ｂを夫々自立状に並設してある。外周位置規制用の跳止壁29ｂが並設してある位置は、第１巻枠２６と第２巻枠２７の周壁26ａ、27ａから大きな間隙を隔てて光ファイバを大きな曲率で配置することを許容するように選定してある。上記跳止壁29ｂの上部には夫々対応する第１巻枠２６と、第２巻枠２７に向けて延出させた爪29ａを備えさせ、光ファイバが上方に向けて跳ね上がらないように形成してある。
【００１９】
これらの複数の爪29ａと、上記複数の跳止爪２８との配列は、図１に示してあるように平面形状において、跳止爪２８の先端と、複数の爪29ａの先端が相互に入り組んだ状態に配置されている。このことは光ファイバ４４、４５、４６、４７が第１巻枠２６と第２巻枠２７の夫々の周壁26ａ、27ａから近い位置にて巻かれた場合は、複数の跳止爪２８によってその浮き上がりは防止され、光ファイバが曲率半径大きく、夫々の周壁26ａ、27ａから離れた遠い位置に巻かれた場合は、複数の爪29ａによってその浮き上がりは防止され、図１のように光ファイバが直線状態或いはやや湾曲した状態では、上方に向けて飛び出すことができないように交互に入れ込み状態で配列してある。
【００２０】
なお、符号５８は、光ファイバを大きな曲率で配置させた場合に、外部に向けて逃げ出すのを防ぐための周壁で、内面は上記安全曲率の範囲内でカーブさせてある。この周壁５８は必要に応じて上記それぞれは独立して立設されている複数の外周位置規制用の跳止壁２９ｂと連続させて、一体に形成するとよい。
以上のように第１巻枠２６と第２巻枠２７との配置、構成を図１のように構成することにより、平面的な専有面積を著しく小さくすることができる。それにより、ケースの外形形状をより小型、コンパクトにすることが可能になる。
【００２１】
３４、３５は公知の第１と第２のスプライスホルダの存在を示し、光ファイバ４４と４７、４５と４６とを夫々接続するための公知の第１と第２のメカニカルスプライス３６、３７を着脱自在に保持する為のものである。
配設位置としては、邪魔にならないように図１における第１巻枠２６と第２巻枠２７の中間位置の上方に選定してある。
基板２５において、基板２５の表面とほぼ同じ高さに配設してある光アダプタ２０が存在する隅部は、基板２５を欠如させ、光ファイバ４７の自由端に付着させた光コネクタ21ｂを光アダプタ２０の受口２２に着脱自在に接続できるようにしてある。
【００２２】
次に、８０は、ＷＤＭ（Wavelength Division Multiplexing：波長分割多重）フィルターを保持固着する為のＷＤＭフィルターホルダを示し、光ファイバ収容部２４に備えられている。なお、ＷＤＭフィルターは、双方向の光伝送路を考えた場合に、例えば通信としての上り信号及び下り信号に夫々１３１０ｎｍ及び１４９０ｎｍの波長の光信号を使用し、テレビ信号の下り信号用として１５５０ｎｍの光り信号を使用して伝送されている場合に、例えば本願の光受信機のような加入者端末側に設置される機器と光ファイバとの間に介設して、前記波長の光信号に分波したり合成したりするものである。
【００２３】
本願のＷＤＭフィルターホルダ８０の詳細な構造について説明する。図７に良く示されるように、本願の実施例では前記基板２５上面から第１の所定間隔を隔てて対向配置するように突設した一対の係止片１８１、１８１によって、第１のＷＤＭフィルター３８Ｂを着脱自在に挟着保持するための支持部８１ａを、前記第１の所定間隔における中心線上に所定の間隔を隔て少なくとも２組配設してなる第１の支持部８１と、前記基板２５上面から前記第１の所定間隔より広い第２の所定間隔を隔てて対向配置すると共に、前記第１の支持部８１より基板上面から離れるように高く突設した一対の係止片１８２、１８２によって、第２のＷＤＭフィルター３８Ａを着脱自在に挟着保持するための支持部８２ａを、前記第２の所定間隔における中心線上に所定の間隔を隔て少なくとも２組配設してなる第２の支持部８２とから成り、前記第１の支持部８１の中心線と前記第２の支持部８２の中心線とは同一線上に配設されることによって、前記第１のＷＤＭフィルター３８Ｂは前記第１の支持部８１に挟着保持し、前記第２のＷＤＭフィルター３８Ａは前記第２の支持部８２に挟着保持したときに、前記第１のＷＤＭフィルターと前記第２のＷＤＭフィルターは、前記基板に直交する方向に相互に重ならないように、基板２５に対して直交する方向に配設される。
【００２４】
前記第１の支持部８１における各対の係止片１８１、１８１の先端部には、夫々内方向に対向させて係止爪１８１ａ、１８１ａが形成され、前記第１の所定間隔である係止爪の先端間の間隔（Ｌ１）は、前記第１のＷＤＭフィルターの外径より僅かに小さくなるように突出させるように形成されていると共に、係止爪１８１ａ、１８１ａの下方向には前記第１のＷＤＭフィルターの外周に対応した当付面１８１ｂ、１８１ｂが夫々形成されている。
次に、前記第２の支持部８２における各対の係止片１８２、１８２の先端部においても、夫々内方向に対向させて係止爪１８２ａ、１８２ａが形成され、前記第２の所定間隔である係止爪の先端間の間隔（Ｌ２）は、前記間隔（Ｌ１）より大きく、第２のＷＤＭフィルターの外径より僅かに小さくなるように突出させるように構成されると共に、係止爪１８２ａ、１８２ａの下方向には前記第２のＷＤＭフィルターの外周に対応した当付面１８２ｂ、１８２ｂが形成されている。
尚、一般的にＷＤＭフィルターは円筒状に形成されており、一般的には直径がΦ３ｍｍ及びΦ５．５ｍｍが知られており、本願における第１の支持部８１はΦ３ｍｍに相当する第１のＷＤＭフィルター３８Ｂを挟着保持するためのもので、第２の支持部８２はΦ５．５ｍｍに相当する第２のＷＤＭフィルター３８Ａを挟着保持するためのもので、夫々の当付面１８１ｂ、１８１ｂ及び当付面１８２ｂ、１８２ｂは夫々の外周に対応するように所定のＲを有するように形成されている。
【００２５】
前記第１のＷＤＭフィルター３８Ｂの取付において、前記間隔（Ｌ１）から係止片１８１、１８１を外側方向に押し広げながら係止爪１８１ａ、１８１ａを乗り越えて支持部８１に圧入挿着され、係止片１８１、１８１が元に戻ろうとする弾性力によって挟着保持される。このとき該第１のＷＤＭフィルター３８Ｂの下面が基板上面に当接するように係止片１８１、１８１を形成しておけば、第１のＷＤＭフィルター３８Ｂの基板上面からの位置が固定されると共に確実に第１の支持部８１に保持される。ＷＤＭフィルターの取り外しも、以上の手順を逆に行えばよく、第１のＷＤＭフィルターは着脱自在に第１の支持部８１に挟着保持されるのである。
次に、前記第２のＷＤＭフィルター３８Ａの取付において、前記間隔（Ｌ２）から係止片１８２、１８２を外側方向に押し広げながら係止爪１８２ａ、１８２ａを乗り越えて支持部８２に圧入挿着され、係止片１８２、１８２が元に戻ろうとする弾性力によって挟着保持される。このとき該第２のＷＤＭフィルターの下面が上記第１の係止片１８１、１８１の先端部に形成された受止面１８１ｃ、１８１ｃに当接するようにしておけば、第２のＷＤＭフィルターの基板上面からの位置が固定されると共に確実に第２の支持部８２に保持される。ＷＤＭフィルターの取り外しも、以上の手順を逆に行えばよく、第２のＷＤＭフィルターは着脱自在に第２の支持部８２に挟着保持されるのである。
【００２６】
更に、前記第１のＷＤＭフィルター３８Ｂを前記第１の支持部８１に挟着保持したときに、前記第１のＷＤＭフィルター３８Ｂが、前記基板２５が形成する面方向への移動を制限するように形成された一対の凸片１８３、１８３から成る第３の支持部８３を形成することによって前記第１のＷＤＭフィルター３８Ｂを取付けたときに、該第１のＷＤＭフィルター３８Ｂの下面部が第３の支持部８３に嵌合するように構成すれば第１のＷＤＭフィルターは更に安定して第１の支持部８１に保持されるのである。
【００２７】
次に、光ケーブルの出入口６近くの基板２５の上面においては、出入口６から巻枠２７に向けて大きな曲率で２芯の光ケーブル４１や、２芯（又は単芯）の光ケーブル４２の出入りを導くために緩やかに上昇するスロープが付された通路Ｒ１が形成されている。
出入口６の近くには上下から光ケーブル４１、４２を弾力的に挟み付ける為に後述する挟着具３９が配設されており、挿入された光ケーブル４１、４２を着脱自在に保持している。
【００２８】
次に、図３、４、５に示される、結線盤３ａより突出する方向に設けられている光ケーブル挿通孔６を備えた挿通路６０について説明する。
挿通路６０は、基板２５の一部を凹陥させた形状であって、光ケーブル４１、４２を沿
わせる下面６２ｃ（前記光ケーブル挿通孔６から見て奥部には、基板２５の上面に向けて
光ケーブル４１を案内するための緩やかな上り斜面Ｒ１を有する）と、相互に対向する両
側面を備えた溝部２６０を形成している。
溝部２６０における前記光ケーブル挿通口６の近くには上下から光ケーブル４１、４２
を挟み付けるために上下の当たり面に弾力部材を備える挟着用部材から成る挟着具３９が
配設されており、挿着された光ケーブル４１、４２を着脱自在に保持している。
【００２９】
この実施例に示す挟着具３９は図６の斜視図によく示されるように、光ケーブル４１、４２の軸線に対して直交する方向を長手方向とする押圧片３９ａと、押圧片３９ａの一端側にあって、該押圧片の開閉操作を行うために押圧片３９ａに直交するよう立設した操作片３９ｂと、押圧片３９ａにおける長手方向の一方の側面側から押圧片３９ａに直交するよう立設した側壁３９ｃとから構成されている。押圧片３９ａの光ケーブルの当たり面には弾性部材７１ａ、７２ａが両側の対称位置で、夫々間隔を隔てて配設されている。尚、弾性部材７１ａ、７２ａは光ケーブル４１、４２に対応するように配設されているのであるが、弾性部材７１ａ、７２ａは一体で形成してもよい。
【００３０】
前記押圧片３９ａの他端側には、該押圧片の両側側方から長手方向に突設した枢着片１３９、１３９が形成されている。該枢着片１３９、１３９の先端部には外方向に向かって枢着軸１３９ａ、１３９ａが形成されている。この枢着軸１３９ａ、１３９ａは、基板２５に形成された枢着孔１２５、１２５（一方は図には示されない）を備えた枢着部に枢着されており、この枢着部において挟着具３９が開閉自在となるように取付けられている。
【００３１】
次に、前記挟持具３９の押圧片３９ａに備えた前記弾性部材７１ａ、７２ａに対向する下面６２ｃには、挟持具３９を閉じた状態にした時に、挟持具側弾性部材７１ａ、７２ａの一部を受入れると共に、底部に弾性部材７１ｂ、７２ｂを備えた凹部が形成されており、該凹部において光ケーブル４１、及び４２の左右方向（光ケーブルの挿入方向に対して）の位置決めが行われると共に、この位置において挟圧保持するように構成されている。尚、本願の実施例においては、前記弾性部材７１ｂ、７２ｂと凹部とで当付部１６２、１６２を構成している。 また、下面６２ｃと挟持具３９の固着手段として、固着ねじを用いて締着する例を示したが、特にこの実施例に限定されるものではない。また、当付部１６２、１６２は光ケーブル４１及び４２の本数に対応するように両側の対称位置で、夫々間隔を隔てて配設されるように形成したが、１つの当付部であってもよい等、特に実施例に限定されるものではない。
【００３２】
次に本願の実施例における前記光ケーブル挿通口６の詳細について説明する。この実施例では、光ケーブル挿通口６は筒状の突出孔１０６と、該突出筒１０６に対して直交するように形成され前記結線盤３ａに形成した切欠部１０３に嵌合するように形成された係止部１０７から成る。この光ケーブル挿通口６には、光ケーブル４１、４２をこの光ケーブルの軸線方向に直交する方向から挿着可能となるように、突出筒１０６と係止部１０７とを連設してなるスリット１１０が形成されている。
尚、光ケーブル４１、４２を前記挟着具３９及び当付部１６２、１６２に対して夫々確実に誘導するように、突出筒１０６の内周面の下面には、該突出筒１０６と一体に形成された隔壁１０６ａを備えさせ、当付部１６２と１６２との間には隔壁６２ｆを形成すれば、光ケーブルを所定位置に確実に誘導できることができる。
尚、本願の実施例では光ケーブル挿通口６は基板２５と一体的に形成した例を示したが、別体で構成しても良いし、前記結線盤３ａや図示されない蓋体に形成してもよい等、実施例に限定されるものではない。
【００３３】
次に、基板２５とケース本体３との間に備えられている掛合手段８４について説明する（図１、２、８、９によく表れている）。掛合手段８４は、収納空間５の開口部３ｅに基板２５を開閉自在に被せ付けた状態で、ケース本体３と基板２５とを掛脱自在に固着する為のもので、ケース本体３に設けた掛止部材９３と、上記基板２５に設けた掛合部材８５とを備えている。
【００３４】
掛止部材９３について説明する。９４は、掛合部材８５の広幅部９０を掛止する為の掛止部を示し、図１、２、８によく表れるように、ケース本体３の壁３ｃから突出する方向へ向けて２つ設けられている。９７は、掛止部９４、９４を夫々支持する側板を示し、掛止部９４と一体材で形成してある。９５は二つの掛止部８４、８４間の間隙を示し、その巾Ｗ１は、装着状態で対接部８９が壁９６に当たるまで進入できる寸法にしてある。９８は、掛合部材８５との装着状態において掛合部材８５の広幅部９０を位置させる為の空間を示す。
このように、掛止部材９３は、間隙９５を挟んでその両側に二つの掛止部９４、９４をケース本体の壁から突設させてある。
なお、掛止部材９３はケース本体３と一体材で成型されているものを図示した。しかし、ケース本体３と別体で形成し、ケース本体３と密着状態に装着してあってもよい。
さらに、図において掛止部材９３をケース本体の裏側板３ｄから立設させたものを説明したが、掛止部材９３は、間隙９５を挟んでその両側に二つの掛止部９４、９４が突出するように、ケース本体の天板３ｃから直接突設させて形成してもよい。
【００３５】
掛合部材８５について説明する。掛合部材８５は、図８、９によく表れるように全体の断面形状をＵ字状に構成し、元部85ａを基板２５に連結してある。８６は装着又は取外し作業の際、指で操作する為の摘み部を示し、自由端部85ｂに備えてある。８７は摘み部８６が元部85ａ側へ撓むような弾力をもたせる為に元部85ａと摘み部８６との間に位置させてある湾曲部を示す。９０は、掛止部材９３の掛止部９４、９４と掛合する為の広幅部を示し、図９（Ｃ）、（Ｄ）、（Ｅ）に示される装着状態においては、掛止部９４、９４より下に位置する。広幅部９０の巾寸法Ｗ２は、間隙９５の幅寸法Ｗ１より広幅に形成し、図示の如く掛止部９４、９４に掛止されるようにしてある。
８９は装着状態において上記掛止部９４、９４に対接する対接部８９を示し、その巾寸法Ｗ４は間隙９５の幅寸法Ｗ１より狭い幅に形成してある。
【００３６】
次に、掛合部材８５における湾曲部８７の弾力は、次のようにしてある。即ち、
常態では、図９（Ａ）に示されるように、元部85ａと対接部８９との間の寸法Ｓが、装着状態における元部85ａと壁９６との間の寸法Ｓ１より広くなり、装着過程では、図９（Ｂ）に示されるように、広幅部分９０が掛止部９４に押されて元部85ａ側（図９（Ａ）に示される矢印９１方向）に撓み、広幅部分９０が掛止部９４を通過した後は、図９（Ｃ）に示されるように、対接部８９が間隙９５に進入して壁９６に当たるような弾力にしてある。
なお、上記した広幅部９０における両側の張出部の巾寸法Ｗ３、Ｗ３を任意長く（大きく）すると、掛止部９４、９４との掛合をより丈夫にすることができる。また、張出部の巾寸法Ｗ３、Ｗ３を長くしても、その長さ方向は、掛止部材９３の板厚と交差する方向なので、掛止部材９３の弾力に悪影響を与えるおそれはない。
さらに、掛止部材９３における間隙９５の切り込み深さＨも任意大きくして掛合手段９３の掛合をより丈夫にすることができる。
【００３７】
上記構成のものを用いて光受信機１の設置作業について説明する。
まず、２芯の光ケーブル４１、光ケーブル４２の被覆の除去、光ファイバ４７と光コネクタ21ｂとの付着等の準備をする。さらに、必要に応じて第１と第２のメカニカルスプライス３６、３７、ＷＤＭフィルター等を準備する。
なお、光ファイバ接続作業においては通常知られている工具を用いるので、被覆を除去された光ファイバ４４、４５、４６、４７は比較的長くなければならない。例えば５０cm以上であることが望ましい。作業員の都合によっては１００cm以上の場合もある。
準備完了したら、通常知られている第１と第２のメカニカルスプライス３６、３７を利用する接続手段（他の任意周知の接続手段でもよい）を用いて夫々光ファイバ４４と４６，４５と４７とを接続したり、ＷＤＭフィルターを接続する。
【００３８】
上記のようにして光ファイバ相互が接続された後は、図１、２に現れているように、これらのループ状になっている余長の光ファイバ（余分な長い光ファイバ）４４、４５、４６、４７を光ファイバ収容部２４に対して綺麗に納めなければならない。
まず、２芯の光ケーブル４１を固定する。また必要に応じて２芯（又は単芯）の光ケーブル４２をも固定する。その固定作業について以下詳しく説明する。
【００３９】
まず、挟着具３９の操作片３９ｂを指で摘んで、図４（Ａ）に示される矢印７７方向へ動かし、図３（Ｂ）、図４（Ｂ）、図５（Ｂ）に示されるような挟着具３９を開放させた状態にする。
次に、外部に対しても長く連なっている光ケーブル４１の中間をつまみ、ケース本体３に設けられている出入口６にスリット１１０の上方から挿入し、図５（Ｂ）に示されるように、下面６２ｃに形成した当付部１６２に存置させる。さらに、光ケーブル４２についても同様に当付部１６２に存置させる。
次に、挟着具３９を図４（Ｂ）に示される矢印７８方向へ動かして挟着具３９を閉じ、図５（Ａ）に示されるような状態にする。そして、固着ねじからなる固着手段を螺着させることによって、弾性部材７１、７２を介して、挟着具３９で光ケーブル４１を挟圧し、光ケーブル４１を正確に保持することになる。このとき挟着具３９には側壁３９ｃが形成されていることから、挟着具３９を締め付ければ、光ファイバ出入口６２形成された係止部１０７に形成されたスリット１１０はきれいに塞がれる。
尚、１０６ａは出入口６を二分し、左右の光ケーブル４１、４２を区分する為の区分片で、本願の実施例では突出筒１０６と一体に成型されている。
【００４０】
次に、図１、２に示されるように光ファイバの余長部分を二つの巻枠２６、２７に巻いて収容する。その場合、光ファイバを二つの巻枠２６、２７に対して右巻きに巻いたり左巻きに巻いたり、小嵩に収納したり、多数の態様の巻き方を適宜選択利用することができる事から、光ファイバの余りの長さが大きく、しかも、ループ状で、そのループの長さが適当で定かでない場合でも、光ファイバを仕上がりよく巻き付け、格好の良い仕上がりにすることが可能になる。
しかも上記態様の巻き方は夫々巻枠２６、２７に対して緩く巻き付けても、きつく巻き付けても、巻枠の安全曲率以下にはならないので、光ファイバの曲率が小さくなって損傷
することを気にしなくても、必ず安全曲率以上の曲率で巻くことができるようになる。
以上のように余長の光ファイバを収容部２４に収容した後、ケース本体３の内に光受信部１３を収納し、光ファイバ収容部２４備える基板２５をケース本体３に固着する。
【００４１】
基板２５をケース本体３に固着する作業を詳しく説明する。
まず、基板２５に設けられた掛合部材８５の摘み部８６を指で元部85ａ側へ撓ませながら、基板２５を手で保持する。そのまま、図２に示されるような向きに、基板２５をケース本体３の開口部に被せ付ける。そのとき、係止部１０７がケース本体の結線盤３ａに形成された切欠部１０３に嵌合するような位置（図５参照）に合わせる。
上記のように基板２５を手で保持したまま、基板２５の掛合部材８４をケース本体３の掛止部材方向（図９（Ａ）に示される矢印１００方向）に移動させる。
すると、図９（Ｂ）に示されるように、広幅部分９０が元部85ａ側に撓んだ状態で押し込まれる。さらに、矢印１００方向へ押し込むと、広幅部分９０が掛止部９４を通過し、図９（Ｃ）に示される位置までくる。その後、摘み部８６から指を離す。すると対接部８９は弾力的に原形に戻る方向（図９（Ｂ）に示される矢印１０１方向）へ移動し、図９（Ｃ）に示されるように、対接部８９が上記間隙９５に進入して壁９６に当たって接する状態となり、掛合が完了する。この掛合手段８４の掛合状態では、図９（Ｄ）（Ｅ）に示されるように広幅部分９０、９０と掛止部９４、９４とが掛止されている。
以上のように摘み部８６を指で摘んで基板２５を保持しつつ固着作業させられるので、そっとケース本体３と基板２５とを固着させることができ、光ファイバ収容部２４の光ファイバを傷めるおそれがない。
【００４２】
上記のようにして、ケース本体３の内に光受信部１３を収納し、余長の光ファイバを収容部２４に収容し、光ファイバ収容部２４を表面に備える基板２５をケース本体３の開口部に開閉自在に被せ付けた状態で固着した後は、通常の利用方法によって利用される。例えばケース本体３に対して図には示されない蓋を被せ、通常の如く家屋に装着する。
その後は出入口６から引き出されている光ケーブル４２に例えば家屋５４内におけるメディアコンバータ５０、パソコン５１を接続して光信号を利用する。又出入口９の接続端子１６から引き出された同軸ケーブルにはセットトップボックス５２、テレビ受像機５３を接続して利用する。
【００４３】
次に、ケース本体３から基板２５を取り外す作業について説明する。
まず、ケース本体３に被せられている蓋を開け、図１に示されるようにケース本体の開口部３ｅを開口した状態にする。
基板２５に設けられた掛合部材８５の摘み部８６を指で撓ませながら基板２５を手で保持し、そのまま基板２５を装着した場合と反対の方向（図１において手前方向）へ移動させる。
すると掛合手段８４は、装着した場合と逆、即ち図９（Ｃ）、（Ｂ）、（Ａ）のように掛合が掛脱し、ケース本体３と基板２５との固着が離脱し、基板２５を取り外すことができる。
以上のように摘み部８６を指で摘んで基板２５を保持した状態で掛合を離脱させるので、そっとケース本体３と基板２５との固着を離脱させることができ、光ファイバ収容部２４の光ファイバを傷めるおそれがない。
【図面の簡単な説明】
【００４４】
【図１】ケース本体と、ケースの中に収納される光受信部と、光ファイバ収容部と挿通路の位置関係を示す正面図（なお、挿通路は従来例を示す）。
【図２】ケース本体と、ケースの中に収納される電子機器、光ファイバ収容部、挿通路の位置関係を示す分解斜視図で、ケース本体側板の一部を破断した図（なお、挿通路は従来例を示す）。
【図３】光ファイバ収容部、挿通路、基板の位置関係を示す斜視図で、（Ａ）は挿通路における挟着具が閉じた状態を示し、（Ｂ）は挿通路における挟着具が開放された状態を示す。
【図４】基板を図３における符号ＩＶ方向から見た正面図で、（Ａ）は挟着具が閉じた状態を示し、（Ｂ）は挟着具が開放された状態を示す。
【図５】挿通路における挟持具と、二系列の光ケーブルの位置関係を説明する為の図で、（Ａ）は挟持具を閉じた状態、（Ｂ）は挟持具を開いた状態を示す。
【図６】挟持具の拡大斜視図。
【図７】ＷＤＭフィルターホルダの部分拡大図。（ａ）は図１におけるＡ−Ａ線断面図、（ｂ）は図１におけるＢ−Ｂ線から見た図であり、（ｃ）具体的な寸法を示す。
【図８】掛合手段を説明する為の図で、図１に示される２つの掛合手段の内、左側の掛合手段についての分解斜視図、（Ａ）は基板に備えられた掛合部材を説明するための斜視図で、（Ｂ）はケース本体に備えられた掛止部材を説明するための斜視図。
【図９】掛合手段の掛止又は離脱作業を説明する為の一部破断した図で図１におけるＩＸ−ＩＸ線断面図。（Ａ）は装着前（常態）を示す図、（Ｂ）は、装着過程を示す図、（Ｃ）は装着後を示す図、（Ｄ）は図９（Ｃ）におけるＤ−Ｄ線断面図、（Ｅ）は図９（Ｃ）におけるＥ−Ｅ線断面図。
【図１０】従来例を説明するための図。
【符号の説明】
【００４５】
１…光受信機、３…ケース本体、  ３ａ…結線盤、  ３ｂ…側板、  ３ｃ…天板、３ｄ…裏側板、３ｅ…開口部、５…収納空間、６…光ケーブル挿通口、７…ケース、８・９…出力端子突出口、１０・・・鈎片、１３…光受信部、１４…ケース（シャーシ）、１７…光ファイバ、２０…光アダプタ、２１…コネクタ、２４…光ファイバ収容部、２５…基板、２６…第１巻枠、２６ａ…周壁、２６ｆ…中心点位置、２７…第２巻枠、２７ａ…周壁、２７ｆ…中心点位置、２８…跳止爪、３４…第１スプライスホルダ、３５…第２スプライスホルダ、３６…第１メカニカルスプライス、３７…第２メカニカルスプライス、３８…ＷＤＭフィルターホルダ、３９…挟持具、３９ａ…押圧片、３９ｂ…操作片、３９ｃ…側壁、４１…光ケーブル、４２…光ケーブル、４４〜４７…光ファイバ、Ｒ１…光ファイバ路、５０…メディアコンバータ、５１…パソコン、５２…セットトップボックス、５３…テレビ受像機、５４…家屋、５８…周壁、６０…挿通路、６２ｃ…下面、６２ｆ…隔壁、７０…弾性部材、７１・７２…弾性部材、７３…連結部材、８０…ＷＤＭフィルターホルダ、８１…第１の支持部、８２…第２の支持部、８３…第３の支持部、８４・・・掛合手段、８５・・・掛合部材、85ａ・・・元部、85ｂ・・・自由端部、８６・・・摘み部、８７・・・湾曲部、８９・・・対接部、９０・・・広幅部、９３・・・掛止部材、９４・・・掛止部、９５・・・間隙、９６・・・壁、１０３…切欠部、１０６…突出筒、１０６ａ…隔壁、１０７…係止部、１１０…スリット、１２５…枢着孔、１３９…枢着片、１３９ａ…枢着軸、１６２…当付部、１８１…係止片、１８１ａ…係止爪、１８１ｂ…当付面、１８１ｃ…受止面、１８２…係止片、１８２ａ…係止爪、１８２ｂ…当付面、１８３…凸片、２６０…溝部
【図１】
2007086732.tif 000003
【図２】
2007086732.tif 000004
【図３】
2007086732.tif 000005
【図４】
2007086732.tif 000006
【図５】
2007086732.tif 000007
【図６】
2007086732.tif 000008
【図７】
2007086732.tif 000009
【図８】
2007086732.tif 000010
【図９】
2007086732.tif 000011
【図１０】
2007086732.tif 000012